(57)【特許請求の範囲】
【請求項１】
ネットワークを構成する複数の送信局が協調して送信する協調送信方式の無線通信システムにおいて、
前記ネットワークが、チャネル状態情報に関する複数のレポーティング設定情報を前記協調送信方式の対象となる受信局へ通知し、
前記送信局が、前記複数のレポーティング設定情報のうち適用するレポーティング設定情報を前記受信局へ通知することで、前記送信局および前記受信局が前記適用するレポーティング設定情報を共有する、
ことを特徴とする無線通信システム。
【請求項２】
前記複数のレポーティング設定情報の各々は少なくとも１つの送信局をレポーティング対象として含む送信局の異なる組合せを特定する情報を少なくとも含むことを特徴とする請求項１に記載の無線通信システム。
【請求項３】
前記複数のレポーティング設定情報の各々は、前記送信局の異なる組合せに対応した、前記受信局から前記ネットワークへのフィードバック方法を特定する情報を更に含むことを特徴とする請求項１または２に記載の無線通信システム。
【請求項４】
複数の協調送信方式が存在し、前記複数のレポーティング設定情報の各々は前記複数の協調送信方式にそれぞれ対応することを特徴とする請求項１−３のいずれか１項に記載の無線通信システム。
【請求項５】
前記送信局および前記受信局が前記適用するレポーティング設定情報を動的に共有することを特徴とする請求項１−４のいずれか１項に記載の無線通信システム。
【請求項６】
前記適用するレポーティング設定情報の更新間隔が前記複数のレポーティング設定情報の通知間隔より短いことを特徴とする請求項１−５のいずれか１項に記載の無線通信システム。
【請求項７】
前記適用するレポーティング設定情報は、レポーティング設定の変更を行う時にのみ、前記送信局と前記受信局との間で通知されることを特徴とする請求項１−６のいずれか１項に記載の無線通信システム。
【請求項８】
前記適用するレポーティング設定情報は、制御信号を送信する時に常に前記送信局と前記受信局との間で通知されることを特徴とする請求項１−６のいずれか１項に記載の無線通信システム。
【請求項９】
前記協調送信方式は、Joint Transmission(JT)、Dynamic Point Selection(DPS)、Coordinated Scheduling（CS）またはCoordinated Beamforming（CB）のいずれかであることを特徴とする請求項１−８のいずれか１項に記載の無線通信システム。
【請求項１０】
前記チャネル状態情報は、チャネル品質に関する情報(Channel Quality Indicator: CQI)、チャネルの共分散行列に関する情報(Channel co-variance information)、プリコーディングの行列に関する情報(Precoding Matrix indicator: PMI)、送信ランクに関する情報(Rank Indicator: RI) 、送信ポイント間の位相差に関する情報(Inter transmission point phase difference)の少なくとも１つを含むことを特徴とする請求項１−８のいずれか１項に記載の無線通信システム。
【請求項１１】
ネットワークを構成する複数の送信局が協調して送信する協調送信方式の無線通信システムにおける協調送信方式の対象となる移動局であって、
前記ネットワークからチャネル状態情報に関する複数のレポーティング設定情報を受信する受信手段と、
前記送信局から前記複数のレポーティング設定情報のうち適用するレポーティング設定情報を受信し、前記送信局との間で前記適用するレポーティング設定情報を共有する制御手段と、
を有することを特徴とする移動局。
【請求項１２】
前記複数のレポーティング設定情報の各々は少なくとも１つの送信局をレポーティング対象として含む送信局の異なる組合せを特定する情報を少なくとも含むことを特徴とする請求項１１に記載の移動局。
【請求項１３】
前記複数のレポーティング設定情報の各々は、前記送信局の異なる組合せに対応した、前記ネットワークへのフィードバック方法を特定する情報を更に含むことを特徴とする請求項１１または１２に記載の移動局。
【請求項１４】
前記無線通信システムに複数の協調送信方式が存在し、前記複数のレポーティング設定情報の各々は前記複数の協調送信方式にそれぞれ対応することを特徴とする請求項１１−１３のいずれか１項に記載の移動局。
【請求項１５】
前記送信局との間で前記適用するレポーティング設定情報を動的に共有することを特徴とする請求項１１−１４のいずれか１項に記載の移動局。
【請求項１６】
前記適用するレポーティング設定情報の更新間隔が前記複数のレポーティング設定情報の通知間隔より短いことを特徴とする請求項１１−１５のいずれか１項に記載の移動局。
【請求項１７】
前記適用するレポーティング設定情報は、レポーティング設定の変更を行う時にのみ、前記送信局との間で通知されることを特徴とする請求項１１−１６のいずれか１項に記載の移動局。
【請求項１８】
前記適用するレポーティング設定情報は、制御信号を送信する時に常に前記送信局との間で通知されることを特徴とする請求項１１−１６のいずれか１項に記載の移動局。
【請求項１９】
前記協調送信方式は、Joint Transmission(JT)、Dynamic Point Selection(DPS)、Coordinated Scheduling（CS）またはCoordinated Beamforming（CB）のいずれかであることを特徴とする請求項１１−１８のいずれか１項に記載の移動局。
【請求項２０】
前記チャネル状態情報は、チャネル品質に関する情報(Channel Quality Indicator: CQI)、チャネルの共分散行列に関する情報(Channel co-variance information)、プリコーディングの行列に関する情報(Precoding Matrix indicator: PMI)、送信ランクに関する情報(Rank Indicator: RI) 、送信ポイント間の位相差に関する情報(Inter transmission point phase difference)の少なくとも１つを含むことを特徴とする請求項１１−１９のいずれか１項に記載の移動局。
【請求項２１】
ネットワークを構成する他の無線基地局と協調して移動局に送信する協調送信方式の無線通信システムにおける無線基地局であって、
前記協調送信方式の対象となる移動局と無線通信を行う送受信手段と、
チャネル状態情報に関する複数のレポーティング設定情報を前記移動局へ通知し、前記移動局へ前記複数のレポーティング設定情報のうち適用するレポーティング設定情報を通知することで前記移動局との間で前記適用するレポーティング設定情報を共有する制御手段と、
を有することを特徴とする無線基地局。
【請求項２２】
ネットワークを構成する複数の送信局が協調して送信する協調送信方式の無線通信システムにおけるレポーティング設定制御方法であって、
前記ネットワークが、チャネル状態情報に関する複数のレポーティング設定情報を前記協調送信方式の対象となる受信局へ通知し、
前記送信局が前記複数のレポーティング設定情報のうち適用するレポーティング設定情報を前記受信局へ通知することで、前記送信局および前記受信局が前記適用するレポーティング設定情報を共有する、
ことを特徴とするレポーティング設定制御方法。
【請求項２３】
前記複数のレポーティング設定情報の各々は少なくとも１つの送信局をレポーティング対象として含む送信局の異なる組合せを特定する情報を少なくとも含むことを特徴とする請求項２２に記載のレポーティング設定制御方法。
【請求項２４】
前記複数のレポーティング設定情報の各々は、前記送信局の異なる組合せに対応した、前記受信局から前記ネットワークへのフィードバック方法を特定する情報を更に含むことを特徴とする請求項２２または２３に記載のレポーティング設定制御方法。
【請求項２５】
前記無線通信システムに複数の協調送信方式が存在し、前記複数のレポーティング設定情報の各々は前記複数の協調送信方式にそれぞれ対応することを特徴とする請求項２２−２４のいずれか１項に記載のレポーティング設定制御方法。
【請求項２６】
前記送信局および前記受信局が前記適用するレポーティング設定情報を動的に共有することを特徴とする請求項２２−２５のいずれか１項に記載のレポーティング設定制御方法。
【請求項２７】
前記適用するレポーティング設定情報の更新間隔が前記複数のレポーティング設定情報の通知間隔より短いことを特徴とする請求項２２−２６のいずれか１項に記載のレポーティング設定制御方法。
【請求項２８】
前記適用するレポーティング設定情報は、レポーティング設定の変更を行う時にのみ、前記送信局と前記受信局との間で通知されることを特徴とする請求項２２−２７のいずれか１項に記載のレポーティング設定制御方法。
【請求項２９】
前記適用するレポーティング設定情報は、制御信号を送信する時に常に前記送信局と前記受信局との間で通知されることを特徴とする請求項２２−２７のいずれか１項に記載のレポーティング設定制御方法。
【発明の詳細な説明】
【技術分野】
【０００１】
本発明は複数送信ポイント間協調送信を行う無線通信システムに係り、特にレポーティング設定を制御するシステムおよび方法に関する
【背景技術】
【０００２】
３ＧＰＰ(３rd Generation Partnership Project)において、複数送信ポイント間協調送信の標準化が進められている。複数送信ポイント間協調送信はＣｏＭＰ送信（Coordinated Multi-point transmission）とも呼ばれ、セルエッジに位置するユーザ端末のスループットおよび/または平均セルスループットの改善を目的としている。なお、ここでいう「送信ポイント」という用語は、セルあるいはセクタを制御する基地局や小型無線部(RRH：Remote Radio Head)などの無線送信機能を有する装置を包含する。したがって、このような無線送信機能を有する「無線基地局」あるいは「無線部」、またはそれらにより生成される「送信セル」あるいは「送信セクタ」を包含する用語として使用するものとする。【０００３】
３ＧＰＰでは３つのＣｏＭＰ送信方式ＪＴ(Joint Transmission)、ＤＰＳ(Dynamic Point Selection)およびＣＳ／ＣＢ(Coordinated Scheduling/Coordinated Beamforming)が定義されている（非特許文献１を参照）。図１（Ａ）で示すＪＴは、複数の送信ポイントから同時に信号送信を行うことにより特性を向上させる方式である。図１（Ｂ）で示すＤＰＳは、チャネル品質が良好な送信ポイントを瞬時に選択して切り替えることにより特性を向上させる方式である。図１（Ｃ）で示すＣＳ／ＣＢは、ＣｏＭＰ送信の対象となるＵＥ(User Equipment、移動局とも呼ぶ)に対し、隣接する送信ポイントからの干渉が小さくなるように送信ポイント間で協調してＵＥを選択して無線リソースの割り当て（スケジューリング）を行うことにより特性を向上させる方式である。【０００４】
ところで、最適なＣｏＭＰ送信方式および協調する送信ポイントの範囲や数は、トラフィック（Traffic）量やＵＥ分布などに依存し、時間により変化することが知られている(非特許文献２を参照)。したがって、ＣｏＭＰ送信による改善効果を向上させるためには、ＣｏＭＰ送信方式や協調する送信ポイントの範囲や数をトラフィック量やＵＥ分布に応じて最適に変更する必要がある。【０００５】
ＣｏＭＰ送信を適用しない場合、送信ポイントとＵＥの一対一通信であるから、ＵＥは１つの送信ポイントとＵＥとの間のチャネル状態情報（Channel State Information；以下ＣＳＩと呼ぶ。) のフィードバックだけを行う。ＣＳＩは、チャネル品質を示す識別子ＣＱＩ（Channel Quality Indicator)、チャネルの共分散行列に関する情報（Channel co-variance information）、最適なプレコーディング行列を示す識別子ＰＭＩ（Precoding Matrix Indicator)、最適なランクを示す識別子ＲＩ（Rank Indicator）などを含む。【０００６】
一方で、ＣｏＭＰ送信を適用する場合、複数の送信ポイントからＵＥに信号送信するため、ＵＥは複数の送信ポイントとの間のそれぞれのチャネル状態情報をフィードバックで通知する必要がある。３ＧＰＰではＣｏＭＰ送信のフィードバックに関し、以下の３つのフィードバック方法が議論されている（非特許文献３を参照）。【０００７】
第１のフィードバック方法は、それぞれの送信ポイントとＵＥとの間のチャネル状態情報をＵＥがネットワークに通知するものであり、Per transmission point(TP) CSI feedbackあるいはPer CSI RS resource feedbackとも呼ばれる。ここで、「ＣＳＩ  ＲＳ」はＣＳＩを測定するためのリファレンス信号(Reference Signal)であり、それぞれの送信ポイントごとに直交したリソースで送信することが考えられている。この第１のフィードバック方法はＤＰＳ、ＣＳ／ＣＢに適用できる。【０００８】
第２のフィードバック方法は、第１のフィードバック方法においてフィードバック通知するチャネル状態情報に加え、各送信ポイント間におけるチャネルの位相差をフィードバックで通知するものであり、Per transmission point CSI feedback with inter transmission point(TP) CSI feedbackあるいはPer CSI RS resource with inter CSI RS resource feedbackともよばれる。各送信ポイントがフィードバック通知された位相差から位相を調整して信号送信を行うことにより、ＵＥは信号を同相合成することが可能となる。第２のフィードバック方法は上述した複数送信ポイントからの信号を同相合成するCoherent JTに適用ができる。【０００９】
第３のフィードバック方法は、送信ポイントが同時送信した場合、それらを合成したチャネル状態情報をフィードバックで通知するものであり、Aggregated CSI feedback、あるいはAggregated feedback across multiple CSI RS resourcesとも呼ばれる。 この第３のフィードック方法は、Coherent JT、送信ポイント間の信号の位相を合わせずに合成するNon-Coherent JTに適用できる。【００１０】
上記のように、適用するＣｏＭＰ送信方式によって適したフィードバック方法がある。したがって、ＣｏＭＰ送信を適用する場合には、レポーティング対象となる送信ポイントの組合せ（以下、レポーティングセットと呼ぶ。）やフィードバック方法などを設定したレポーティング設定情報を送信ポイント(ネットワーク)とＵＥとの間で共有する必要がある。【００１１】
このようなレポーティング設定情報の共有方法の一例として、レポーティングセットをＲＲＣ(Radio Resource Control)シグナリングで送信ポイントからＵＥに通知する方法が提案されている（非特許文献４を参照）。図１（Ｄ）に示すように、１つのＵＥと、そのＵＥに対して協調する３つの送信ポイントＴＰ１、ＴＰ２、ＴＰ３とが存在するネットワークにおいて、ＣＳＩのフィードバック先として送信ポイントＴＰ１およびＴＰ２が選択されているものと仮定する。まず、ネットワークは、ＲＲＣシグナリングを使用してＵＥにレポーティングセットがＴＰ１およびＴＰ２であることを準静的（semi-static）に通知する。レポーティングセットを通知されたＵＥはＴＰ１およびＴＰ２を対象にＣＳＩを測定し、測定したＣＳＩをＴＰ１およびＴＰ２へフィードバックにより通知する。
【先行技術文献】
【非特許文献】
【００１２】
【非特許文献１】3GPP TR.36.819, ”Coordinated multi-point operation for LTE physical layer aspects  (Section5.1.3)”
【非特許文献２】3GPP R1-112224, “CoMP Performance Analysis in Scenario3 and 4 for non full buffer traffic model,” Intel
【非特許文献３】3GPP R1-114352, “Final Report of 3GPP TSG RAN WG1 #66bis v1.1.0 (Section7.5.2)”
【非特許文献４】3GPP R1-113354, “Hierarchical Feedback for DL CoMP and DL MIMO,” Ericsson, ST-Ericsson
【発明の概要】
【発明が解決しようとする課題】
【００１３】
しかしながら、ＲＲＣシグナリングは、ＲＲＣレイヤに関連する制御情報を通知する手段であり、準静的（Semi-static）に（最短100ms程度の周期で）通知するために、トラフィック量やＵＥ分布の変化等の環境変化に追従することができず最適なレポーティング設定ができない。このために、上述した非特許文献４によるレポーティング設定方法ではＣｏＭＰ送信による特性改善効果が低減するという問題があった。【００１４】
本発明の目的は、ＣｏＭＰ送信を行うシステムにおいてレポーティング設定を迅速に変更できるレポーティング設定制御方法およびそれを用いた無線通信システムを提供することにある。
【課題を解決するための手段】
【００１５】
本発明による無線通信ネットワークは、ネットワークを構成する複数の送信局が協調して送信する協調送信方式の無線通信システムであって、前記ネットワークが、チャネル状態情報に関する複数のレポーティング設定情報を前記協調送信方式の対象となる受信局へ通知し、前記送信局が、前記複数のレポーティング設定情報のうち適用するレポーティング設定情報を前記受信局へ通知することで、前記送信局および前記受信局が前記適用するレポーティング設定情報を共有する、ことを特徴とする。
【００１６】
本発明による移動局は、ネットワークを構成する複数の送信局が協調して送信する協調送信方式の無線通信システムにおける協調送信方式の対象となる移動局であって、前記ネットワークからチャネル状態情報に関する複数のレポーティング設定情報を受信する受信手段と、前記送信局から前記複数のレポーティング設定情報のうち適用するレポーティング設定情報を受信し、前記送信局との間で前記適用するレポーティング設定情報を共有する制御手段と、を有することを特徴とする。
【００１７】
本発明による無線基地局は、ネットワークを構成する他の無線基地局と協調して移動局に送信する協調送信方式の無線通信システムにおける無線基地局であって、前記協調送信方式の対象となる移動局と無線通信を行う送受信手段と、チャネル状態情報に関する複数のレポーティング設定情報を前記移動局へ通知し、前記移動局へ前記複数のレポーティング設定情報のうち適用するレポーティング設定情報を通知することで前記移動局との間で前記適用するレポーティング設定情報を共有する制御手段と、を有することを特徴とする。
【００１８】
本発明によるレポーティング設定制御方法は、ネットワークを構成する複数の送信局が協調して送信する協調送信方式の無線通信システムにおけるレポーティング設定制御方法であって、前記ネットワークが、チャネル状態情報に関する複数のレポーティング設定情報を前記協調送信方式の対象となる受信局へ通知し、前記送信局が前記複数のレポーティング設定情報のうち適用するレポーティング設定情報を前記受信局へ通知することで、前記送信局および前記受信局が前記適用するレポーティング設定情報を共有する、ことを特徴とする。
【発明の効果】
【００１９】
本発明によれば、ＣｏＭＰ送信を行うシステムにおいて複数のレポーティング設定情報をＣｏＭＰ送信の対象となる受信局へ通知することで、レポーティング設定を迅速に変更でき、トラフィック量やＵＥ分布の変化に追従するレポーティング設定が可能となる。
【図面の簡単な説明】
【００２０】
【図１】図１（Ａ）、図１（Ｂ）および図１（Ｃ）はそれぞれＪＴ、ＤＰＳおよびＣＳ／ＣＢのＣｏＭＰ送信方式を示す概略的ネットワーク図であり、図１（Ｄ）はレポーティングセットの通知方法を説明するためのネットワーク図である。
【図２】図２は、本発明の第１実施形態による無線通信システムにおけるネットワーク側の主要な機能構成を示すブロック図である
【図３】図３は、図２に示す無線通信システムにおける移動局の主要な機能構成を示すブロック図である。
【図４】図４は、図２に示す無線通信システムにおけるネットワーク側と移動局側との制御動作を示すフローチャートである。
【図５】図５（Ａ）は図２に示す無線通信システムにおけるレポーティング設定制御方法の第１実施例を説明するためのネットワーク図であり、図５（Ｂ）はそのＲＲＣシグナリングを行うレポーティング設定候補の一例を示す図であり、図５（Ｃ）はレポーティング設定候補の他の例を示す図である。
【図６】図６は図５に示す第１実施例におけるＬ１／Ｌ２シグナリングによるレポーティング設定通知方法を説明するための模式図である。
【図７】図７（Ａ）は図２に示す無線通信システムにおけるレポーティング設定制御方法の第２実施例を説明するためのネットワーク図であり、図７（Ｂ）はそのＲＲＣシグナリングを行うレポーティング設定候補の一例を示す図であり、図７（Ｃ）はレポーティング設定候補の他の例を示す図である。
【図８】図８は図７に示す第２実施例におけるＬ１／Ｌ２シグナリングによるレポーティング設定通知方法を説明するための模式図である。
【図９】図９（Ａ）は図２に示す無線通信システムにおけるレポーティング設定制御方法の第３実施例を説明するためのネットワーク図であり、図９（Ｂ）はそのＲＲＣシグナリングを行うレポーティング設定候補の一例を示す図であり、図９（Ｃ）はレポーティング設定候補の他の例を示す図である。
【図１０】図１０は図９に示す第３実施例におけるＬ１／Ｌ２シグナリングによるレポーティング設定通知方法を説明するための模式図である。
【図１１】図１１は、本発明の第２実施形態による無線通信システムにおけるネットワークおよび移動局の主要な機能構成を示すブロック図である。
【図１２】図１２は、図１１に示す無線通信システムにおけるネットワーク側と移動局側との制御動作を示すフローチャートである。
【図１３】図１３は図１１に示す無線通信システムにおけるレポーティング設定制御方法の第４実施例によるフィードバック方法を示す模式図である。
【図１４】図１４は図１１に示す無線通信システムにおけるレポーティング設定制御方法の第５実施例によるフィードバック方法を示す模式図である。
【図１５】図１５は図１１に示す無線通信システムにおけるレポーティング設定制御方法の第６実施例によるフィードバック方法を示す模式図である。
【図１６】図１６は、本発明の第３実施形態による無線通信システムにおけるネットワークおよび移動局の主要な機能構成を示すブロック図である。
【発明を実施するための形態】
【００２１】
本発明によれば、ネットワークが移動局に対してチャネル状態情報に関する複数のレポーティング設定情報を通知し、それらの中から適用するレポーティング設定情報をネットワークと移動局との間で共有する。これにより無線環境の変化に応じてレポーティング設定を迅速に切り替えることができ、ネットワークのトラフィック量やＵＥ分布の変化に対してレポーティング設定の最適化が可能となり、ＣｏＭＰ送信の特性改善効果を大きくできる。以下、本発明の実施形態および実施例について図面を参照しながら詳細に説明する。
【００２２】
１．第１実施形態
本発明の第１実施形態によれば、レポーティング設定を２ステップのシグナリングで実現する。１番目のステップでは、複数のレポーティング設定に関する情報を送信ポイントからＵＥへＲＲＣシグナリングを使用して通知する。２番目のステップでは、適用するレポーティング設定に関する情報を送信ポイントからＵＥへレイヤ１／レイヤ２（Ｌ１／Ｌ２）シグナリングを使用して通知する。なお、Ｌ１／Ｌ２シグナリングは、物理レイヤに関連する制御信号であり、数ミリ秒(ms)程度の更新周期が想定されている。ＲＲＣシグナリングの周期は最短100ms程度であるため、ＲＲＣシグナリングの通知間隔はＬ１／Ｌ２シグナリングの通知間隔よりも大きい。したがって、あるシグナリングの通知間隔でレポーティング設定の複数の候補をＵＥへ通知し、より短い通知間隔のシグナリングによりどの候補を適用するかを決定することで、無線状況やネットワーク負荷などの変化に応じてレポーティング設定を変更することが可能となる。
【００２３】
１．１）システム構成
図２に示すように、本発明の第１実施形態によるシステムは、ＣｏＭＰ制御装置３００と複数の送信ポイントＴＰからなり、ＣｏＭＰ制御装置３００が複数の送信ポイントＴＰに対してレポーティング設定制御を行う。ここでは、説明を複雑化しないために、３つの送信ポイントが設けられ、送信ポイントＴＰのみが図示されているが、送信ポイントＴＰを含む送受信部、無線部あるいは無線基地局が設けられているものとする。また、各送信ポイントＴＰとの間で無線通信を行う移動局ＵＥの機能構成については図３に示す。
【００２４】
ＣｏＭＰ制御装置３００はレポーティング設定候補生成部３０１およびレポーティング設定部３０２を有し、レポーティング設定部３０２はフィードバック方法決定部３０３およびレポーティングセット決定部３０４を有する。さらに、ＣｏＭＰ制御装置３００は、図示されていない制御部を有し、後述するレポーティング設定動作を制御する。送信ポイントＴＰ１―ＴＰ３には、ＲＲＣシグナリング生成部２０１．１−２０１．３、Ｌ１／Ｌ２シグナリング生成部２０２．１−２０２．３、および、無線部２０３．１−２０３．３がそれぞれ設けられている。
【００２５】
ＣｏＭＰ制御装置３００のレポーティング設定候補生成部３０１は、ＲＲＣシグナリングによりＵＥへ通知すべき複数のレポーティング設定候補を生成し、レポーティング設定部３０２および送信ポイントのＲＲＣシグナリング生成部２０１．１−２０１．３へそれぞれ出力する。レポーティング設定部３０２はレポーティング設定候補生成部３０１から入力したレポーティング設定候補の中から実際に使用するレポーティング設定を決定する。具体的には、フィードバック方法決定部３０３により、使用するＣｏＭＰ送信方式に対応したフィードバック方法が決定され、レポーティングセット決定部３０４によりレポーティング対象となる送信ポイントが決定される。レポーティング設定部３０２で決定されたレポーティング設定は送信ポイントのＬ１／Ｌ２シグナリング生成部２０２．１−２０２．３へそれぞれ送信される。
【００２６】
各送信ポイントにおいて、ＲＲＣシグナリング生成部２０１．１−２０１．３は、レポーティング設定候補生成部３０１から入力されたレポーティング設定候補の情報をＲＲＣシグナリングの情報として生成し無線部２０３．１−２０３．３へ出力する。無線部２０３．１−２０３．３は、入力したレポーティング設定候補の情報をＲＲＣシグナリングを使用してＵＥへ通知する。
【００２７】
各送信ポイントのＬ１／Ｌ２シグナリング生成部２０２．１−２０２．３は、レポーティング設定部３０２から受信したレポーティング設定をＬ１／Ｌ２シグナリングの情報として生成し、無線部２０３．１−２０３．３へ出力する。無線部２０３．１−２０３．３はＬ１／Ｌ２シグナリングを使用してＵＥへレポーティング設定を通知する。
【００２８】
図３に示すように、本実施形態によるシステムにおける移動局であるＵＥ４００は、無線部４０１、ＣＳＩ測定部４０２およびフィードバック生成部４０３を有し、さらに図示されていないレポーティング設定動作を制御する制御部を有する。無線部４０１は、送信ポイントからのＲＲＣシグナリングおよびＬ１／Ｌ２シグナリングを受信し、レポーティング設定に関する情報をＣＳＩ測定部４０２へ出力する。ＣＳＩ測定部４０２は、入力したレポーティング設定に関する情報に従ってＣＳＩを測定し、その測定結果をフィードバック生成部４０３へ出力する。なお、ＣＳＩはチャネル品質を示す識別子(CQI：Channel Quality Indicator)、チャネルの共分散行列に関する情報（Channel co-variance information）、最適なプレコーディング行列を示す識別子(PMI：Precoding Matrix Indicator)、最適なランクを示す識別子（RI：Rank Indicator）などを含む。フィードバック生成部４０３は、入力したＣＳＩ測定結果からフィードバック信号を生成し、無線部４０１へ出力する。無線部４０１はネットワーク（送信ポイントＴＰを含む無線部あるいは無線基地局）にＣＳＩをフィードバックで通知する。
【００２９】
１．２）システム動作
次に、図４を参照しながら、第１実施形態におけるネットワーク(ＣｏＭＰ制御装置、送信ポイント)とＵＥの動作について説明する。
【００３０】
図４において、まず、ＣｏＭＰ制御装置３００のレポーティング設定候補生成部３０１は複数のレポーティング設定候補を生成し（動作５００）、ＲＲＣシグナリングにより送信ポイントＴＰを通してＵＥ４００へ送信する（動作５０１）。ＵＥ４００の無線部４０１は、送信ポイントＴＰから受信したＲＲＣシグナリングからレポーティング設定候補の情報を読み出し、ＣＳＩ測定部４０２は当該レポーティング設定候補を保持する(動作５１０)。
【００３１】
次に、ネットワークでは、レポーティング設定候補の中から実際に使用するレポーティング設定を選択する(動作５０２)。本実施形態では、ネットワークがネットワーク側で既知の情報を用いてレポーティング設定を決定する。例えば、各送信ポイントにおけるトラフィック量などに応じて適用するレポーティング設定を決定する。
【００３２】
次に、選択されたレポーティング設定をＬ１／Ｌ２シグナリングでＵＥ４００へ通知し(動作５０３)、ＵＥ４００が通知されたレポーティング設定を受信することで(動作５１１)、ネットワーク側とＵＥ側とでレポーティング設定が共有される。ＵＥ４００は、通知されたレポーティング設定に従ってＣＳＩの測定を行い(動作５１２)、測定したＣＳＩをネットワークにフィードバックで通知する(動作５１３)。ネットワーク側の送信ポイントＴＰを含む無線部あるいは無線基地局はフィードバックで通知されたＣＳＩの情報を受信する(動作５０４)。
【００３３】
１．３）第１実施例 
上述した第１実施形態における第１実施例によれば、ネットワークは複数のレポーティング設定をＲＲＣシグナリングでＵＥに通知し、複数のレポーティング設定の中から適用するレポーティング設定を１つ選択し、選択した１つのレポーティング設定を示す識別子をＬ１／Ｌ２シグナリングでＵＥに通知する。既に述べたように、レポーティング設定には、レポーティングを行う対象の送信ポイントの組合せ(レポーティングセット)と当該レポーティングセットにおけるフィードバック方法に関する情報が含まれている。
【００３４】
以下、図５を参照して、複数のレポーティング設定を通知するＲＲＣシグナリングについて説明する。図５（Ａ）で示すように、１つのＵＥが存在し、３つ送信ポイント(ＴＰ１、ＴＰ２、ＴＰ３)が協調する場合を一例として説明する。ここでは、２つのレポーティング設定の候補が定義されており、レポーティング設定１ではＴＰ１およびＴＰ２がレポーティングセットＲＥＰ１であり、レポーティング設定２ではＴＰ２およびＴＰ３がレポーティングセットＲＥＰ２である。
【００３５】
図５（Ｂ）には、複数のレポーティング設定情報をＲＲＣシグナリングで通知する場合の信号形式の一例が示されている。レポーティング設定情報は、例えば、CQI-ReportingConfigに含まれる情報であり、レポーティングの間隔やフィードバック方法(Feedback modeとも呼ぶ)の情報などが含まれる。さらに、CQI-ReportingConfigに送信ポイントを示す情報として、ＣＳＩ ＲＳリソース番号やＰＣＩ(Physical Cell ID)などが含まれる。ここでは、それぞれの送信ポイントを示す情報として、ＣＳＩ ＲＳリソースの番号を使用する例で説明する。ＣＳＩ ＲＳはＣＳＩを測定するためのリファレンス信号であり、それぞれの送信ポイントで直交したリソースで送信することが考えられている。ＣＳＩ ＲＳリソース＃１、＃２、＃３は、ＴＰ１、ＴＰ２、ＴＰ３からそれぞれ送信されるＣＳＩ ＲＳのリソース位置を示す識別子である。３ＧＰＰでは、現在、最大３２パターンの時間または周波数または符号で直交するＣＳＩ ＲＳリソースが用意されており、それぞれのリソースはＣＳＩ ＲＳリソースの番号に対応している。ＣＳＩ ＲＳリソースとその番号はネットワーク側およびＵＥ側で既知であるため、ネットワークがＣＳＩ ＲＳリソースの番号をＵＥに通知すれば、ＵＥはどのＣＳＩ ＲＳリソースでＣＳＩを測定すればよいが分かる。ここでは、Ｌ１／Ｌ２シグナリング時に使用する識別子を各レポーティング設定候補に割り当てている。この例では、レポーティング設定１には識別子“０”を、レポーティング設定２には識別子“１”を割り当てている。
【００３６】
図５（Ｃ）には、複数のレポーティング設定をＲＲＣシグナリングで通知する場合の信号形式の他の例が示されている。この例では、レポーティング設定にレポーティングセットＲＥＰだけではなくフィードバック方法も含まれている。ここでは、ＴＰ１およびＴＰ２のレポーティングセットＲＥＰ１にＣｏＭＰ送信方式のＪＴを実行するためのフィードバック方法であるAggregated CSIを、ＴＰ２およびＴＰ３のレポーティングセットＲＥＰ２にＣｏＭＰ送信方式のＤＰＳまたはＣＳ／ＣＢを実行するためのフィードバック方法であるPer TP CSIをそれぞれ設定している。なお、各送信ポイントを示す情報としてＣＳＩ ＲＳリソースの番号を使用しているが、ＰＣＩ(Physical Cell ID)などを使用してもよい。また、本実施例では、協調する送信ポイント数＝３として説明したが、２以上であれば適用できる。同様に、レポーティング設定の候補数＝２の場合について説明したが、３以上であっても適用できる。
【００３７】
図６に示すように、第１実施例において、選択されたレポーティング設定はＬ１／Ｌ２シグナリングで通知する。下りリンクのＬ１／Ｌ２シグナリングの情報はＤＣＩ(Downlink Control Information)と呼ばれ、ＰＤＣＣＨ(Physical Downlink Control Channel)で送信される。ＤＣＩには、各ＵＥの割り当てリソースの位置を示すスケジューリング情報、変調方式、符号化率を示すＭＣＳ(Modulation Coding Scheme)の情報などが含まれる。第１実施例では、図６に示すように、すべてのＴＴＩ(Transmission Time Interval)においてＤＣＩにレポーティング設定を示す識別子“０”、“１”を挿入する。したがって、ＴＴＩ０、ＴＴＩ１ではレポーティング設定１を示す識別子“０”を、ＴＴＩ２、ＴＴＩ３ではレポーティング設定２を示す識別子“１”を通知する。
【００３８】
第１実施例では、複数のレポーティング設定の中の１つの識別子をＬ１／Ｌ２シグナリングで通知するため、それぞれのＴＴＩにおけるＬ１／Ｌ２シグナリングのオーバヘッドを小さくできる。なお、第１実施例ではすべてのＴＴＩでレポーティング設定を示す識別子を挿入したが、レポーティング設定を変更するＴＴＩのみ(たとえばＴＴＩ０、ＴＴＩ２のみ)にレポーティング設定を示す識別子を挿入してもよい。
【００３９】
１．４）第２実施例
次に述べる第２実施例と上述した第１実施形態の第１実施例との差異は次の通りである。第１実施例のＲＲＣシグナリングではレポーティングセットおよびレポーティングセットにおけるフィードバック方法をＵＥに通知したが、第２実施例ではレポーティングを行う対象の送信ポイントおよび送信ポイントにおけるフィードバック方法を通知する。さらに、第１実施例のＬ１／Ｌ２シグナリングでは複数の送信ポイントの組合せから構成されるレポーティング設定の１つを選択しその識別子を通知していたが、第２実施例ではＲＲＣシグナリングで通知されたそれぞれの送信ポイントごとのレポーティング設定の中で、適用するレポーティング設定の情報のみをＵＥに通知する。
【００４０】
図７（Ａ）で示すように、１つのＵＥが存在し、３つ送信ポイント(ＴＰ１、ＴＰ２、ＴＰ３)が協調する場合を例示する。第２実施例においては、レポーティング設定１はＴＰ１、レポーティング設定２はＴＰ２、レポーティング設定３はＴＰ３がレポーティングセットである。
【００４１】
図７（Ｂ）はレポーティング設定候補をＲＲＣシグナリングで通知する場合の信号形式の一例を示す。ここでは、各送信ポイントを示す情報として、ＣＳＩ ＲＳリソースの番号を使用し、Ｌ１／Ｌ２シグナリング時に使用する識別子をそれぞれの送信ポイントに割り当てる。この例では、レポーティング設定１には識別子“００”を、レポーティング設定２には識別子“０１”を、レポーティング設定３には識別子“１０”をそれぞれ割り当てている。
【００４２】
図７（Ｃ）はレポーティング設定候補をＲＲＣシグナリングで通知する場合の信号形式の他の例を示す。図７（Ｃ）では、送信ポイントだけではなくフィードバック方法も含まれている。ここでは、レポーティング設定１では、ＴＰ１をサービング送信ポイントとすればサービング送信ポイントとＵＥ間のフィードバックを設定し、レポーティング設定２ではＪＴを行うためのフィードバック方法であるPer TP CSIおよびInter TP CSIを、レポーティング設定３ではＣＳ／ＣＢを行うためのフィードバック方法であるPer TP CSIを、それぞれ設定する。ここでは、各送信ポイントを示す情報として、ＣＳＩ ＲＳリソースの番号を使用しているが、ＰＣＩ(Physical Cell ID)などを使用してもよい。
【００４３】
図８に示すように、適用したレポーティング設定のみの識別子をレポーティング設定の更新時にＬ１／Ｌ２シグナリングで通知する。したがって、ＴＴＩ０では、レポーティング設定１および２を示す識別子である“００”、“０１”を送信し、レポーティング設定２に更新するＴＴＩ２ではレポーティング設定１および３を示す識別子である“００”、“１０”を送信する。
【００４４】
なお、第２実施例では、それぞれのレポーティング設定に対して新たな識別子を割り当てたが、既存の情報であるＣＳＩ ＲＳリソースの番号やＰＣＩをレポーティング設定の識別子として使用しても良い。また、第２実施例では、レポーティング設定を変更するＴＴＩのみ(ＴＴＩ０、ＴＴＩ２のみ)にレポーティング設定を示す識別子を送信していたが、第１実施例のようにすべてのＴＴＩでレポーティング設定を示す識別子を挿入してもよい。
【００４５】
また、第２実施例では、それぞれの送信ポイントごとにレポーティング設定が可能であるため、レポーティングセットの要素数が増加してもＲＲＣシグナリングのオーバヘッドの増加を抑えることができる。
【００４６】
１．５）第３実施例
次に述べる第３実施例では、上述の第２実施例と同様に、レポーティングを行う対象の送信ポイントおよび送信ポイントにおけるフィードバック方法をＲＲＣシグナリングで通知する。第２実施例との相違点は、Ｌ１／Ｌ２シグナリングの方法であり、第２実施例ではＲＲＣシグナリングで通知されたそれぞれの送信ポイントごとのレポーティング設定の中で、適用するレポーティング設定の情報のみを通知していたが、第３実施例では、複数のレポーティング設定それぞれに対してレポーティング設定として適用するかどうかの識別子を通知する。以下、図９および図１０を参照しながら説明する。
【００４７】
図９（Ａ）で示すように、第３実施例のレポーティングセットの設定は上記第２実施例と同様であるから、説明は省略する。
【００４８】
図９（Ｂ）はレポーティング設定候補をＲＲＣシグナリングで通知する場合の信号形式の一例である。ここでは、各送信ポイントを示す情報として、ＣＳＩ ＲＳリソースの番号を使用している。第３実施例では、すべてのレポーティング設定候補についてのレポーティングの適用可否を送信するので、第１および第２実施例のように各レポーティング設定に固有の識別子をつけなくても良い。
【００４９】
図９（Ｃ）はレポーティング設定候補をＲＲＣシグナリングで通知する場合の信号形式の他の例である。この例では、送信ポイントだけではなくフィードバック方法も含まれている。レポーティング設定１では、ＴＰ１がサービング送信ポイントとすれば、サービング送信ポイントとＵＥ間の既存のフィードバックを設定し、レポーティング設定２ではＪＴを行うためのフィードバック方法、レポーティング設定３ではＣＳ／ＣＢを行うためのフィードバック方法をそれぞれ設定する。
【００５０】
図１０は、複数のレポーティング設定それぞれに対してレポーティングするかどうかの識別子をレポーティング設定の更新時にＬ１／Ｌ２シグナリングで通知する例を示す。ここの例では、識別子“０”がレポーティングなし、識別子“０”がレポーティングありとし、通知の順番はレポーティング設定１、２、３である。したがって、ＴＴＩ０では、レポーティング設定１および２を適用する通知を行うので、順番に識別子“１”、“１”、“０”を送信し、ＴＴＩ２ではレポーティング設定１および３に更新するので、順番に識別子“１”、“０”、“１”を送信している。
【００５１】
なお、第３実施例では、それぞれのレポーティング設定の通知の順番はレポーティング設定１、２、３と固定されている例で説明したが、既存の情報であるＣＳＩ ＲＳリソースの番号やＰＣＩをレポーティング設定の識別子として同時に送信しても良い。
【００５２】
また、第３実施例では、レポーティング設定を変更するＴＴＩのみ(ＴＴＩ０、ＴＴＩ２のみ)にレポーティング設定を示す識別子を送信していたが、第１実施例のようにすべてのＴＴＩでレポーティング設定を示す識別子を挿入してもよい。
【００５３】
さらに、第３実施例では、第２実施例と同様に、それぞれの送信ポイントごとにレポーティング設定が可能であるため、ＲＲＣシグナリングのオーバヘッドの増加を抑えることができる。更に、複数のレポーティング設定のすべてに関する識別子をそれぞれＬ１／Ｌ２シグナリングで通知するため、第２実施例のＲＲＣシグナリングよりもオーバヘッドを小さくできる。
【００５４】
１．６）変形例
上述した第１〜第３実施例はＰＤＣＣＨ(Physical Downlink Control Channel)を使用してＬ１／Ｌ２シグナリングを行う例を示したが、ＰＤＳＣＨ(Physical Downlink Shared Channel)など他のチャネルを使用してもよい。
【００５５】
また、第１実施形態によれば、ＲＲＣシグナリングで複数のレポーティング設定候補を通知しておくことによりＬ１／Ｌ２シグナリングのオーバヘッドを抑えることができるという利点がある。また、ネットワークがネットワーク側で既知の情報を使用してレポーティング設定を最適化することができる。
【００５６】
２．第２実施形態
本発明の第２実施形態によるシステムは、第１実施形態と同様に、第１のステップで、複数のレポーティング設定に関する情報を送信ポイントからＵＥへＲＲＣシグナリングを使用して通知するが、第２ステップが第１実施形態と異なる。第１実施形態では、適用するレポーティング設定に関する情報をネットワークからＵＥへ通知していたが、第２実施形態では、適用するレポーティング設定に関する情報をＵＥから送信ポイントへフィードバックで通知する。なお、フィードバックは数ms〜数10ms程度の更新周期が想定されており、ＲＲＣシグナリングの最短周期は100ms程度であるから、ＲＲＣシグナリングの通知間隔はフィードバックの時間間隔よりも大きい。したがって、あるシグナリングの通知間隔でレポーティング設定の複数の候補をＵＥへ通知し、より短い通知間隔のシグナリングによりどの候補を適用するかを無線状況の変化に応じて決定することが可能となる。以下、図１１および図１２を参照しながら、本発明の第２実施形態について説明する。
【００５７】
２．１）システム構成
図１１に示すように、本発明の第２実施形態によるシステムは、ＣｏＭＰ制御装置７００、複数の送信ポイントＴＰおよびユーザ端末であるＵＥ８００からなり、ＣｏＭＰ制御装置７００がＲＲＣシグナリングによりレポーティング設定候補をＵＥへ通知し、ＵＥが通知された候補から適用する１つの候補を決定して送信ポイントへフィードバックする。ここでは、説明を複雑化しないために、３つの送信ポイントが設けられ、各送信ポイントの送信ポイントＴＰのみが図示されている。
【００５８】
ＣｏＭＰ制御装置７００はレポーティング設定候補生成部７０１を有し、送信ポイントＴＰ１−ＴＰ３には、ＲＲＣシグナリング生成部６０１．１−６０１．３および無線部６０２．１−６０２．３がそれぞれ設けられている。
【００５９】
ＣｏＭＰ制御装置７００のレポーティング設定候補生成部７０１は、ＲＲＣシグナリングによりＵＥ８００へ通知すべきＣＳＩのレポーティング設定候補を生成し、送信ポイントのＲＲＣシグナリング生成部６０１．１−６０１．３へそれぞれ出力する。各送信ポイントにおいて、ＲＲＣシグナリング生成部６０１．１−６０１．３は、レポーティング設定候補生成部７０１から入力されたレポーティング設定候補の情報をＲＲＣシグナリングの情報として生成し無線部６０２．１−６０２．３へ出力する。無線部６０２．１−６０２．３は、入力したレポーティング設定候補の情報をＲＲＣシグナリングを使用してＵＥ８００へ通知する。
【００６０】
本実施形態によるＵＥ８００は、無線部８０１、ＣＳＩ測定部８０２、レポーティング設定部８０３およびフィードバック生成部８０６を有し、レポーティング設定部８０３はフィードバック方法決定部８０４およびレポーティングセット決定部８０５を有する。無線部８０１は、送信ポイントからのＲＲＣシグナリングを受信し、レポーティング設定に関する情報をＣＳＩ測定部８０２へ出力する。ＣＳＩ測定部８０２は、入力したレポーティング設定に関する情報に従ってＣＳＩを測定し、その測定結果をレポーティング設定部８０３へ出力する。なお、ＣＳＩはチャネル品質を示す識別子(CQI：Channel Quality Indicator)、チャネルの共分散行列に関する情報（Channel co-variance information）、最適なプレコーディング行列を示す識別子(PMI：Precoding Matrix Indicator)、最適なランクを示す識別子（RI：Rank Indicator）などを含む。
【００６１】
レポーティング設定部８０３は、レポーティング設定候補生成部７０１で生成された設定候補を送信ポイント経由で受信すると、その中から実際に適用する設定を決定する。フィードバック方法決定部８０４は使用するＣｏＭＰ送信方式に対応したフィードバック方法を決定し、レポーティングセット決定部８０５はレポーティングの対象とする送信ポイントを決定する。レポーティング設定部８０３で決定された設定に対応するＣＳＩ測定結果をフィードバック生成部８０６へ出力し、フィードバック生成部８０６は入力されたＣＳＩ測定結果からフィードバック信号を生成し、このフィードバック信号が無線部８０１によりネットワーク（送信ポイント）へ送信される。
【００６２】
２．２）システム動作
図１２において、まず、ネットワーク側のＣｏＭＰ制御装置７００ではレポーティング設定候補を生成する(動作９０１)。次に、生成されたレポーティング設定候補をＲＲＣシグナリングで送信ポイントからＵＥへ通知する(動作９０２)。
【００６３】
ユーザ端末側のＵＥ８００はＲＲＣシグナリングを受信すると、受信信号からレポーティング設定候補を認識し、保持する(動作９１０)。続いて、ＵＥ８００はレポーティング設定候補の情報に従いＣＳＩ測定を実行し（動作９１１）、実際のレポーティングに使用する設定を候補の中から選択する(動作９１２)。第２実施形態では、ＵＥ８００がＵＥ側で既知の情報を用いてレポーティング設定を決定する。例えば、ＣｏＭＰ送信に参加する送信ポイント間の受信電力差などに基づいてレポーティング設定を決定することができる。こうして選択したレポーティング設定に従ってＵＥ８００はＣＳＩを選択したレポーティング設定を特定する情報と共にネットワーク側へフィードバックし(動作９１３)、ネットワーク側の送信ポイントがフィードバックでそれらの情報を受信することで(動作９０３)、送信ポイントとＵＥとでレポーティング設定が共有される。
【００６４】
２．３）第４実施例
上述した第２実施形態における第４実施例について説明する。第４実施例では、ネットワークが複数のレポーティング設定をＲＲＣシグナリングによりＵＥ８００へ通知し、その中からＵＥ８００が適用するレポーティング設定を１つ選択し、選択されたレポーティング設定を示す識別子をフィードバックでネットワーク側へ通知する。既に述べたように、レポーティング設定は、レポーティングを行う対象の送信ポイントの組合せ(レポーティングセット)とレポーティングセットにおけるフィードバック方法との情報を含む。なお、複数のレポーティング設定を通知するＲＲＣシグナリングについては第１実施例と同様であるから説明は省略し、図１３を参照しながら、選択されたレポーティング設定をフィードバックで通知する例を説明する。
【００６５】
図１３には、ＰＵＳＣＨ(Physical Uplink Shared Channel)を用いてフィードバックを行う例が示されている。フィードバックされる情報には、レポーティングセットで選択された送信ポイントのチャネル状態情報(ＣＳＩ)などが含まれる。第４実施例では、すべてのＴＴＩにおいてフィードバックにレポーティング設定を示す識別子“０”、“１”を挿入する。ここでは、ＴＴＩ０、ＴＴＩ１でレポーティング設定１を示す識別子“０”を、ＴＴＩ２、ＴＴＩ３でレポーティング設定２を示す識別子“１”を通知する。なお、すべてのＴＴＩでレポーティング設定を示す識別子を挿入する以外に、レポーティング設定を変更するＴＴＩのみ(ここではＴＴＩ０、ＴＴＩ２のみ)にレポーティング設定を示す識別子を挿入することも可能である。第４実施例では、複数のレポーティング設定の中の１つの識別子をフィードバックで通知するため、それぞれのＴＴＩにおけるフィードバックのオーバヘッドを小さくできるという利点がある。
【００６６】
２．４）第５実施例
上述した第２実施形態における第５実施例について説明する。上述した第４実施例のＲＲＣシグナリングでは、レポーティングセットおよびレポーティングセットにおけるフィードバック方法をネットワーク側へ通知するが、第５実施例では、レポーティングを行う対象の送信ポイントおよび送信ポイントにおけるフィードバック方法を通知する。さらに、第４実施例のフィードバックでは、複数の送信ポイントの組合せから構成されるレポーティング設定の１つを選択して通知していたが、第５実施例では、ＲＲＣシグナリングで通知されたそれぞれの送信ポイントごとのレポーティング設定の中で、適用するレポーティング設定の情報のみをネットワーク側へ通知する。なお、複数のレポーティング設定を通知するＲＲＣシグナリングについては第２実施例と同様であるから説明は省略し、図１４を参照しながら、選択したレポーティング設定のみの識別子を、レポーティング設定が変更になるときのみフィードバックを使って通知する例を説明する。
【００６７】
図１４において、ＴＴＩ０ではレポーティング設定１および２を示す識別子である“００”、”０１”をフィードバックで通知し、レポーティング設定２に更新するＴＴＩ２では、レポーティング設定１および３を示す識別子である“００”、”１０”をフィードバックで通知する。なお、レポーティング設定を変更するＴＴＩのみ(ＴＴＩ０、ＴＴＩ２のみ)にレポーティング設定を示す識別子を送信するのではなく、上述した第４実施例のように、すべてのＴＴＩでレポーティング設定を示す識別子を挿入してもよい。
【００６８】
通常、レポーティングセットの要素数が増加するとＲＲＣシグナリングで通知するレポーティングセットの組合せ数が大きくなるため、ＲＲＣシグナリングのオーバヘッドが大きくなる。しかしながら、第５実施例によれば、それぞれの送信ポイントごとにレポーティング設定が可能であるため、ＲＲＣシグナリングのオーバヘッドの増加を抑えることができるという利点がある。
【００６９】
２．５）第６実施例
上述した第２実施形態における第６実施例について説明する。第６実施例では、第５実施例と同様に、レポーティングを行う対象の送信ポイントおよび送信ポイントにおけるフィードバック方法をＲＲＣシグナリングで通知するが、フィードバック方法が第５実施例と異なる。第５実施例では、ＲＲＣシグナリングで通知されたそれぞれの送信ポイントごとのレポーティング設定の中で、適用するレポーティング設定の情報のみを通知したが、第６実施例では複数のレポーティング設定それぞれに対してレポーティング設定として適用するかどうかの識別子を通知する。なお、複数のレポーティング設定を通知するＲＲＣシグナリングについては第３実施例と同様であるから説明は省略し、図１５を参照しながら、複数のレポーティング設定それぞれに対してレポーティング設定として適用するかどうかの識別子をレポーティング設定が変更になるときのみフィードバックで通知する例を説明する。
【００７０】
図１５に示すように、この例では、識別子“０”がレポーティングなし、識別子“０”がレポーティングありを示すものとし、通知の順番はレポーティング設定１、２、３であるものとする。したがって、ＴＴＩ０では、レポーティング設定１および２を適用する通知を行うので、順番に識別子“１”、“１”、“０”を送信し、ＴＴＩ２では、レポーティング設定１および３に更新するので順番に識別子“１”、“０”、“１”を送信している。
【００７１】
なお、第６実施例では、レポーティング設定を変更するＴＴＩのみ(ＴＴＩ０、ＴＴＩ２のみ)にレポーティング設定を示す識別子を送信していたが、第４実施例のようにすべてのＴＴＩでレポーティング設定を示す識別子を挿入してもよい。
【００７２】
第６実施例によれば、第５実施例と同様に、それぞれの送信ポイントごとにレポーティング設定が可能であるため、ＲＲＣシグナリングのオーバヘッドの増加を抑えることができる。更に、複数のレポーティング設定のすべてに関する識別子をそれぞれフィードバックで通知するため、第５実施例のＲＲＣシグナリングよりもオーバヘッドを小さくできるという利点がある。このように、第２実施形態によれば、ＲＲＣシグナリングでレポーティング設定候補を通知しておくことにより、フィードバックのオーバヘッドを抑えることができる。また、ＵＥがＵＥ側で既知の情報を使用してレポーティング設定を決定することができる。
【００７３】
３．第３実施形態
図２に示す第１実施形態ではＣｏＭＰ制御装置３００と各送信ポイントＴＰとが独立している場合を説明したが、本発明はこれに限定されるものではなく、各送信ポイントＴＰにＣｏＭＰ制御装置３００と同等の機能を設け、送信ポイントＴＰが互いに接続されて通信可能な構成であってもよい。以下、図１６を参照しながら、本発明の第３実施形態による送信ポイントＴＰについて説明するが、第１実施形態と同等の機能ブロックについては同一の参照番号を付して説明を省略する。
【００７４】
図１６に示すように、送信ポイントＴＰ１は、図２に示す第１実施形態と同様にＲＲＣシグナリング生成部２０１．１、Ｌ１／Ｌ２シグナリング生成部２０２．１および無線部２０３．１を有するが、本実施形態では更にＣｏＭＰ制御部１０００を有する。ＣｏＭＰ制御部１０００は、レポーティング設定候補生成部１００１、レポーティング設定部１００２およびポイント間通信部１００５を有し、レポーティング設定部１００２はフィードバック方法決定部１００３およびレポーティングセット決定部１００４を有する。レポーティング設定候補生成部１００１およびレポーティング設定部１００２については、図２に示す第１実施形態におけるレポーティング設定候補生成部３０１およびレポーティング設定部３０２と同様の機能を有するので説明は省略する。なお、他の信ポイント（ＴＰｘ）も同様の機能的構成を有するので、図１６には図示されていない。
【００７５】
第３実施形態における各送信ポイントＴＰは、ＣｏＭＰ制御部１０００およびポイント間通信部１００５を設け、他の送信ポイントＴＰとの間で情報を交換しながら協調送信制御を実行することができる。レポーティング設定の通知方法としては第１実施形態と同様であるから説明は省略する。
【００７６】
また、図１１に示す第２実施形態でも、同様に各送信ポイントＴＰにＣｏＭＰ制御装置７００と同等の機能を設け、送信ポイントＴＰが互いに接続されて通信可能な構成にすることができる。
【００７７】
４．他の実施形態
本発明による無線通信システムは、上述した第１実施形態と第２実施形態が混在するシステムであってもよい。たとえば、第１実施形態と第２実施形態をシステム内のＵＥごとに切り替えてもよい。この場合、ネットワークはそれぞれのＵＥにＲＲＣシグナリングを用いて、第１実施形態または第２実施形態を示す識別子を通知する。ＵＥは、ＲＲＣシグナリングの内容により、第１実施形態で動作するか、第２実施形態で動作するかを認識する。
【産業上の利用可能性】
【００７８】
本発明は複数の送信ポイント間で協調して送信を行う移動無線システム一般に適用可能である。
【符号の説明】
【００７９】
２０１．１−２０１．３  ＲＲＣシグナリング生成部
２０２．１−２０２．３  Ｌ１／Ｌ２シグナリング生成部
２０３．１−２０３．３  無線部
３００  ＣｏＭＰ制御装置
３０１  レポーティング設定候補生成部
３０２  レポーティング設定部
３０３  フィードバック方法決定部
３０４  レポーティングセット決定部
４００  ユーザ端末（ＵＥ）
４０１  無線部
４０２  ＣＳＩ測定部
４０３  フィードバック生成部
６０１．１−６０１．３  ＲＲＣシグナリング生成部
６０２．１−６０２．３  無線部
７００  ＣｏＭＰ制御装置
７０１  レポーティング設定候補生成部
８００  ユーザ端末（ＵＥ）
８０１  無線部
８０２  ＣＳＩ測定部
８０３  レポーティング設定部
８０４  フィードバック方法決定部
８０５  レポーティングセット決定部
８０６  フィードバック生成部
１０００  ＣｏＭＰ制御装置
１００１  レポーティング設定候補生成部
１００２  レポーティング設定部
１００３  フィードバック方法決定部
１００４  レポーティングセット決定部
１００５  ポイント間通信部
【図１】
0005874742.tif 000002
【図２】
0005874742.tif 000003
【図３】
0005874742.tif 000004
【図４】
0005874742.tif 000005
【図５】
0005874742.tif 000006
【図６】
0005874742.tif 000007
【図７】
0005874742.tif 000008
【図８】
0005874742.tif 000009
【図９】
0005874742.tif 000010
【図１０】
0005874742.tif 000011
【図１１】
0005874742.tif 000012
【図１２】
0005874742.tif 000013
【図１３】
0005874742.tif 000014
【図１４】
0005874742.tif 000015
【図１５】
0005874742.tif 000016
【図１６】
0005874742.tif 000017